(57)【要約】  送電管路（１０）内の障害位置（２０）を決定する方法は、（ａ）複数のサンプリングされた信号特性を含む第１のデータセット（ｉｔｒ（ｎ））を確立するために、送電管路（１０）を通って伝搬する信号（ｉＡ（ｔ）、ｉＢ（ｔ）、ｉＣ（ｔ））を、オリジナルのサンプリング周波数においてサンプリングすることと、（ｂ）増加した数の信号特性を含む第２のデータセット（ｉｔｒＨ（ｎ））を確立するために、第１のデータセット（ｉｔｒ（ｎ））を補間し、それによって、第２のデータセット（ｉｔｒＨ（ｎ））が、オリジナルのサンプリング周波数より高い等価のサンプリング周波数を有するようにすることと、（ｃ）第２のデータセット（ｉｔｒＨ（ｎ））内の障害波信号（２２）を識別することと、（ｄ）送電管路（１０）内の障害波信号（２２）の発生源を決定するために、障害波信号（２２）の伝搬特性を利用することとからなるステップを備える。【選択図】図２
2019526791.tif 000002
【特許請求の範囲】
【請求項１】
送電管路（１０）内の障害位置（２０）を決定する方法であって、
（ａ）複数のサンプリングされた信号特性を含む第１のデータセット（ｉｔｒ（ｎ））を確立するために、前記送電管路（１０）を通って伝搬する信号（ｉＡ（ｔ）、ｉＢ（ｔ）、ｉＣ（ｔ））を、オリジナルのサンプリング周波数においてサンプリングすることと、
（ｂ）増加した数の信号特性を含む第２のデータセット（ｉｔｒＨ（ｎ））を確立するために、前記第１のデータセット（ｉｔｒ（ｎ））を補間し、それによって、前記第２のデータセット（ｉｔｒＨ（ｎ））が、前記オリジナルのサンプリング周波数より高い等価のサンプリング周波数を有するようにすることと、
（ｃ）前記第２のデータセット（ｉｔｒＨ（ｎ））内の障害波信号（２２）を識別することと、
（ｄ）前記送電管路（１０）内の前記障害波信号（２２）の発生源を決定するために、前記障害波信号（２２）の伝搬特性を利用することとからなるステップを備える、方法。
【請求項２】
前記送電管路（１０）を通って伝搬する信号（ｉＡ（ｔ）、ｉＢ（ｔ）、ｉＣ（ｔ））を、オリジナルのサンプリング周波数においてサンプリングするステップ（ａ）は、前記第１のデータセット（ｉｔｒ（ｎ））をフィルタリングすることを含む、請求項１記載の方法。
【請求項３】
前記第１のデータセット（ｉｔｒ（ｎ））をフィルタリングすることは、帯域通過フィルタを、
前記信号（ｉＡ（ｔ）、ｉＢ（ｔ）、ｉＣ（ｔ））、または
前記第１のデータセット（ｉｔｒ（ｎ））のうちの１つに適用することを含む、請求項２記載の方法。
【請求項４】
前記帯域通過フィルタは、２ｋＨｚから１０ｋＨｚの下限周波数を有する、請求項３記載の方法。
【請求項５】
前記帯域通過フィルタは、多くても前記オリジナルのサンプリング周波数の半分である上限周波数を有する、請求項３または４記載の方法。
【請求項６】
ステップ（ａ）は、複数のサンプリング位相信号特性を含む複数の個々の位相データセット（ｉＡ、ｉＢ、ｉＣ）を確立するために、多相送電ネットワーク（１２）内で電力を伝送するように構成され、送電管路（１０）の複数の相管路（１４Ａ、１４Ｂ、１４Ｃ）のうちの対応する１つを通って伝搬するそれぞれの位相信号（ｉＡ（ｔ）、ｉＢ（ｔ）、ｉＣ（ｔ））のおのおのを、オリジナルのサンプリング周波数においてサンプリングすることと、その後、前記複数の個々の位相データセット（ｉＡ、ｉＢ、ｉＣ）を、前記個々の位相データセット（ｉＡ、ｉＢ、ｉＣ）を示す単一の第１のデータセット（ｉｔｒ（ｎ））に変換することとを含む、請求項１乃至５のいずれか１項記載の方法。
【請求項７】
前記複数の個々の位相データセット（ｉＡ、ｉＢ、ｉＣ）を、単一の第１のデータセット（ｉｔｒ（ｎ））に変換することは、前記位相データセット（ｉＡ、ｉＢ、ｉＣ）を、モード領域に変換することを含む、請求項６記載の方法。
【請求項８】
前記モード領域への変換が生じる方式は、前記相管路（１４Ａ、１４Ｂ、１４Ｃ）の１つまたは複数に関して生じる障害（２０）の性質に依存する、請求項７記載の方法。
【請求項９】
増加した数の信号特性を含む第２のデータセット（ｉｔｒＨ（ｎ））を確立するために、前記第１のデータセット（ｉｔｒ（ｎ））を補間するステップ（ｂ）は、前記第２のデータセット（ｉｔｒＨ（ｎ））が、前記オリジナルのサンプリング周波数より少なくとも５倍高い等価のサンプリング周波数を有することである、請求項１乃至８のいずれか１項記載の方法。
【請求項１０】
前記第２のデータセット（ｉｔｒＨ（ｎ））内の障害波信号（２２）を識別するステップ（ｃ）は、前記第２のデータセット（ｉｔｒＨ（ｎ））内の信号特性が、障害しきい値（２４）を超えるときを識別することを含む、請求項１乃至９のいずれか１項記載の方法。
【請求項１１】
前記第２のデータセット（ｉｔｒＨ（ｎ））内の信号特性が、障害しきい値（２４）を超えるときを識別することは、前記障害しきい値（２４）が超えられる時間（ｔＬ、ｔＲ）を確立することを含む、請求項１０記載の方法。
【請求項１２】
前記送電管路（１０）内の前記障害波信号（２２）の前記発生源を決定するために、前記障害波信号（２２）の前記伝搬特性を利用するステップ（ｄ）は、
前記送電管路（１０）のローカル端部（１６）と、前記送電管路（１０）のリモート端部（１８）とのおのおのにおいて、ステップ（ａ）から（ｃ）を実行して、前記ローカル端部および前記リモート端部（１６、１８）のおのおのにおいて、対応する障害しきい値（２４）が超えられるそれぞれの時間（ｔＬ、ｔＲ）を確立することと、その後、
【数１】
2019526791.tif 000008
にしたがって、前記ローカル端部（１６）からの前記障害（２０）の距離を決定することとを含み、
ｍは、前記ローカル端部（１６）からの前記障害（２０）の距離であり、
Ｌは、前記送電管路（１０）の全長であり、
ｔＬは、障害しきい値（２４）が、前記ローカル端部（１６）において超えられる時間であり、
ｔＲは、障害しきい値（２４）が、前記リモート端部（１８）において超えられる時間であり、
ｖは、前記障害波信号（２２）の伝搬速度である、請求項１１記載の方法。
【発明の詳細な説明】
【技術分野】
【０００１】
本発明は、送電管路内の障害位置を決定する方法に関する。
【背景技術】
【０００２】
送電ネットワーク内の障害の正確な位置決めは、ネットワーク事業者のための時間とリソースを節約する。
【０００３】
ラインサーチ、すなわち送電管路の目視検査は、コストがかかり、決定的ではない可能性がある。それに加えて、地下ケーブルの場合、それらは実用的でさえないことがあり得る。
【０００４】
したがって、他の２つの障害位置決定の方法、すなわち、いわゆるインピーダンスベースの方法、および、いわゆる進行波ベースの方法が、代わりに使用される傾向がある。進行波に基づく方法は、一般に、より正確であると考えられている。
【先行技術文献】
【特許文献】
【０００５】
【特許文献１】欧州特許第２４９００３１号
【発明の概要】
【課題を解決するための手段】
【０００６】
本発明の第１の実施形態によれば、
（ａ）複数のサンプリングされた信号特性を含む第１のデータセットを確立するために、送電管路を通って伝搬する信号を、オリジナルのサンプリング周波数においてサンプリングすることと、
（ｂ）増加した数の信号特性を含む第２のデータセットを確立するために、第１のデータセットを補間し、それによって、第２のデータセットが、オリジナルのサンプリング周波数より高い等価のサンプリング周波数を有するようにすることと、
（ｃ）第２のデータセット内の障害波信号を識別することと、
（ｄ）送電管路内の障害波信号の発生源を決定するために、障害波信号の伝搬特性を利用することとからなるステップを備え、送電管路内の障害位置を決定する方法が提供される。
【０００７】
第２のデータセットの等価のサンプリング周波数より低い、オリジナルのサンプリング周波数において、送電管路を通って移動する信号をサンプリングする能力は、必要とされるサンプリング機器のコストを低減し、関連付けられた障害位置決め機器の全体コストを低減するために役立つ。
【０００８】
一方、オリジナルのサンプリング周波数よりも高い等価のサンプリング周波数を有する第２のデータセット、すなわち、第１のデータセットよりも高い分解能を有する第２のデータセットを確立するために、第１のデータセットを補間するステップは、本発明が、はるかに高いサンプリング周波数においてサンプリングするように構成された、より高価な障害位置決めアセンブリと同程度の精度で障害位置を決定できることを保証するのに役立つ。
【０００９】
好ましくは、送電管路を通って伝搬する信号を、オリジナルのサンプリング周波数においてサンプリングするステップ（ａ）は、第１のデータセットをフィルタリングすることを含む。
【００１０】
オプションで、第１のデータセットをフィルタリングすることは、帯域通過フィルタを、信号、または第１のデータセットのうちの１つに適用することを含む。
【００１１】
このようなフィルタリングは、有利なことに、送電管路に障害が発生したときに生じる障害波信号の、可能性のある信号特性に、第１のデータセットを集中させることに役立つ。
【００１２】
帯域通過フィルタは、２ｋＨｚから１０ｋＨｚの間の下限周波数を有し得る。
【００１３】
そのような下限周波数は、第１のデータセットから低周波数成分を除去することを支援し、よって、障害波信号の正確かつ効率的な捕捉を保証することに役立つ。
【００１４】
帯域通過フィルタは、多くてもオリジナルのサンプリング周波数の半分である上限周波数を有し得る。
【００１５】
そのような上限周波数を有することは、第１のデータセットによって表される信号のエイリアシング、すなわち歪みを防ぐのに役立つ。
【００１６】
本発明の好適な方法では、ステップ（ａ）は、複数のサンプリング位相信号特性を含む複数の個々の位相データセットを確立するために、多相送電ネットワーク内で電力を伝送するように構成され、送電管路の複数の相管路のうちの対応する１つを通って伝搬するそれぞれの位相信号のおのおのを、オリジナルのサンプリング周波数においてサンプリングすることを含み、この方法は、その後、複数の個々の位相データセットを、前記個々の位相データセットを示す単一の第１のデータセットに変換することを含む。
【００１７】
オプションで、複数の個々の位相データセットを、単一の第１のデータセットに変換することは、位相データセットを、モード領域に変換することを含む。
【００１８】
好ましくは、モード領域への変換が行われる方式は、相管路の１つまたは複数に関して生じる障害の性質に依存する。
【００１９】
本発明の方法の前述したステップは、本発明の方法を、多相送電ネットワーク内の送電管路に適用する際に有用に支援する。
【００２０】
本発明の方法の別の好適な実施形態では、増加した数の信号特性を含む第２のデータセットを確立するために、第１のデータセットを補間するステップ（ｂ）は、第２のデータセットが、オリジナルのサンプリング周波数より少なくとも５倍高い等価のサンプリング周波数を有するようにすることである。
【００２１】
第１のデータセットのそのような補間は、信号のサンプリングを実行する１つまたは各機器アイテムによって必要とされるサンプリング能力の、有益な低減を保証することに役立ち、したがって、１つまたは各前記機器アイテムの大きな機器コストにおける相応の低減を保証することに役立つ。
【００２２】
第２のデータセット内の障害波信号を識別するステップ（ｃ）は、第２のデータセット内の信号特性が、障害しきい値を超えるときを識別することを含み得る。
【００２３】
そのようなステップは、容易に再現可能であり、障害波信号を確実に識別する。
【００２４】
オプションで、第２のデータセット内の信号特性が、障害しきい値を超えるときを識別することは、障害しきい値が超えられる時間を確立することを含む。
【００２５】
前述のステップは、送電管路内の障害の位置を識別する、その後の距離の決定を可能にするデータを有効に確立する。
【００２６】
本発明のさらにまた好ましい実施形態では、送電管路内の障害波信号の発生源を決定するために、障害波信号の伝搬特性を利用するステップ（ｄ）は、
送電導管のローカル端部と、送電導管のリモート端部とのおのおのおいてステップ（ａ）から（ｃ）を実行して、前記ローカル端部およびリモート端部のおのおのにおいて、対応する障害しきい値が超えられるそれぞれの時間を確立することと、その後、
【００２７】
【数１】
2019526791.tif 000003
にしたがって、ローカル端部からの障害の距離を決定することとを含み、
ｍは、ローカル端部からの障害の距離であり、
Ｌは、送電管路の全長であり、
ｔＬは、障害しきい値が、ローカル端部において超えられる時間であり、
ｔＲは、障害しきい値が、リモート端部において超えられる時間であり、
ｖは、障害波信号の伝搬速度である。
【００２８】
そのようなステップは、送電管路のローカル端部からの障害の距離、すなわち、送電管路内の障害位置を正確かつ確実に決定するために、望ましくは、利用可能なデータを利用する。
【００２９】
以下の図面を参照しながら、非限定的な例として、本発明の好ましい実施形態について簡単に説明する。
【図面の簡単な説明】
【００３０】
【図１】図１は、送電管路の概略図である。
【図２】図２は、本発明の第１の実施形態にしたがって、図１に図示される送電管路内の障害位置を決定する方法における主なステップを概略的に例示する図である。
【図３】図３は、図２に例示された方法の中で、第１のデータセットに対するそれぞれの反復の影響を例示する図である。
【図４（ａ）】図４（ａ）は、図２に例示された方法の中で、信号特性が障害しきい値を超えたときを識別するステップを概略的に例示する図である。
【図４（ｂ）】図４（ｂ）は、図２に例示された方法の中で、信号特性が障害しきい値を超えたときを識別するステップを概略的に例示する図である。
【発明を実施するための形態】
【００３１】
多相送電ネットワーク１２の一部を形成する例示的な送電管路１０が、図１に概略的に例示される。
【００３２】
図示される例では、送電管路１０は、３相管路、すなわち、おのおのが送電ネットワーク１２のそれぞれの位相Ａ、Ｂ、Ｃに対応する３相線１４Ａ、１４Ｂ、１４Ｃを含む高架送電線１４である。
【００３３】
本発明の方法は、たとえば、地下送電ケーブルの形態を採る送電管路にも等しく適用可能であり、および／または、３つよりも少ない、または３つよりも多い相管路を含む。
【００３４】
送電管路１０、すなわち、それぞれの相線１４Ａ、１４Ｂ、１４Ｃは、ローカル端部１６とリモート端部１８との間に延在する。
【００３５】
本発明の第１の実施形態によれば、例示的な送電管路１０内の障害位置、すなわち、それぞれの相線１４Ａ、１４Ｂ、１４Ｃの１つまたは複数に対する障害２０の位置を決定する方法は、図２に概略的に例示されるように、
（ａ）複数のサンプリングされた信号特性を含む第１のデータセットを確立するために、送電管路１０を通って伝搬する信号を、オリジナルのサンプリング周波数においてサンプリングすることと、
（ｂ）増加した数の信号特性を含む第２のデータセットを確立するために、第１のデータセットを補間し、それによって、第２のデータセットが、オリジナルのサンプリング周波数より高い等価のサンプリング周波数を有するようにすることと、
（ｃ）第２のデータセット内の障害波信号を識別することと、
（ｄ）送電管路１０内の障害波信号の発生源を決定するために、障害波信号の伝搬特性を利用することとからなる本質的ステップを含む。
【００３６】
より具体的には、送電管路１０を通って伝播する信号をサンプリングすることは、まず、各相線１４Ａ、１４Ｂ、１４Ｃ内のそれぞれの電流信号ｉＡ（ｔ）、ｉＢ（ｔ）、ｉＣ（ｔ）を測定することを含む。そのような測定は、たとえば、電流変換器（図示せず）によって実行され得る。
【００３７】
本発明の他の実施形態では、送電管路を通って伝播する信号をサンプリングすることは、代わりに、１つまたは各相線、管路、またはケーブル内の１つまたは複数のそれぞれの電圧信号を測定することを含み得る。
【００３８】
図２に概略的に例示される方法の実施形態に戻ると、サンプリングステップ（ａ）は、各電流信号ｉＡ（ｔ）、ｉＢ（ｔ）、ｉＣ（ｔ）に帯域通過フィルタを適用することも含む。
【００３９】
帯域通過フィルタは、１０ｋＨｚの下限周波数を有するが、本発明の他の実施形態では、下限周波数は、２ｋＨｚと１０ｋＨｚとの間にあり得る。
【００４０】
帯域通過フィルタの上限周波数は、多くてもオリジナルのサンプリング周波数の半分であることが好ましい。オリジナルのサンプリング周波数は、少なくとも９６ｋＨｚあることが好ましく、一例として、記述された実施形態では１００ｋＨｚであるが、本発明の他の実施形態では変わり得る。
【００４１】
さらにより好ましくは、本明細書において上記で論じられた本発明の実施形態では、帯域通過フィルタの上限周波数は、オリジナルのサンプリング周波数の４分の１、すなわち２５ｋＨｚである。
【００４２】
それぞれの電流信号ｉＡ（ｔ）、ｉＢ（ｔ）、ｉＣ（ｔ）のそのようなフィルタリングに続いて、アナログ−デジタルサンプリングモジュールは、おのおのが、複数のサンプル相電流信号特性を含む３つの個々の対応する位相データセットｉＡ、ｉＢ、ｉＣを確立するために、たとえば１００ｋＨｚのようなオリジナルのサンプリング周波数において、前記電流信号ｉＡ（ｔ）、ｉＢ（ｔ）、ｉＣ（ｔ）のサンプルを取得する。
【００４３】
本方法のステップ（ａ）はその後、さらに、個々の位相データセットｉＡ、ｉＢ、ｉＣを、前記個々の位相データセットｉＡ、ｉＢ、ｉＣを示す単一の第１のデータセットｉｔｒ（ｎ）に変換することを含む。
【００４４】
そのような単一の第１のデータセットｉｔｒ（ｎ）への変換は、位相データセットｉＡ、ｉＢ、ｉＣを、モード領域に変換することを含み、より具体的には、変換が行われる方式は、相管路のうちの１つまたは複数に関して、すなわち、相線１４Ａ、１４Ｂ、１４Ｃのうちの１つまたは複数に関して生じる障害２０の性質に依存する。
【００４５】
障害２０が、
（図１における例で例示されるように）位相Ａの相線１４Ａと接地との間で発生した場合、単一の第１のデータセットｉｔｒ（ｎ）は、
ｉｔｒ（ｎ）＝２＊ｉＡ−ｉＢ−ｉＣによって与えられ、
位相Ｂの相線１４Ｂと接地との間で発生した場合、単一の第１のデータセットｉｔｒ（ｎ）は、
ｉｔｒ（ｎ）＝２＊ｉＢ−ｉＣ−ｉＡによって与えられ、
位相Ｃの相線１４Ｃと接地との間で発生した場合、単一の第１のデータセットｉｔｒ（ｎ）は、
ｉｔｒ（ｎ）＝２＊ｉＣ−ｉＡ−ｉＢによって与えられ、
位相Ａの相線１４Ａと位相Ｂの相線１４Ｂ（接地されているか、されていないかに関わらず）との間で発生した場合、単一の第１のデータセットｉｔｒ（ｎ）は、
ｉｔｒ（ｎ）＝ｉＡ−ｉＢによって与えられ、
位相Ｂの相線１４Ｂと位相Ｃの相線１４Ｃ（接地されているか、されていないかに関わらず）との間で発生した場合、単一の第１のデータセットｉｔｒ（ｎ）は、
ｉｔｒ（ｎ）＝ｉＢ−ｉＣによって与えられ、
位相Ｃの相線１４Ｃと位相Ａの相線１４Ａ（接地されているか、されていないかに関わらず）との間で発生した場合、単一の第１のデータセットｉｔｒ（ｎ）は、
ｉｔｒ（ｎ）＝ｉＣ−ｉＡによって与えられ、
すべての相線１４Ａ、１４Ｂ、１４Ｃ（接地されているか、されていないかに関わらず）の間で発生した場合、単一の第１のデータセットｉｔｒ（ｎ）は、
ｉｔｒ（ｎ）＝２＊ｉＡ−ｉＢ−ｉＣによって与えられる。
【００４６】
本発明の方法の他の実施形態では、第１のデータセットは、複数の個々の位相データセットから変換されたか否かに関わらず、代わりに、まず、信号をサンプリングすることによって、たとえば、適切であるとして電流または電圧変換器を使用し、次に、帯域通過フィルタを、サンプリングされた信号特性へ適用することによって、フィルタされ得る。
【００４７】
上記で記述されたようなステップ（ａ）に続いて、本発明の第１の実施形態の方法のステップ（ｂ）は、第２のデータセットｉｔｒＨ（ｎ）を確立するために、第１のデータセットｉｔｒ（ｎ）を補間することを含み、これは、第２のデータセットｉｔｒＨ（ｎ）が、オリジナルのサンプリング周波数より少なくとも５倍高い等価なサンプリング周波数を有するように、増加した数の信号特性を含む。
【００４８】
例として、第１のデータセットｉｔｒ（ｎ）は、１００Ｈｚのオリジナルのサンプリング周波数より１６倍高い１．６ＭＨｚの等価なサンプリング周波数を有するように、補間される。
【００４９】
本発明の範囲内で他の技術も可能であるが、第１のデータセットｉｔｒ（ｎ）が補間され得る１つの手法は、Ｍ次スプライン補間を使用することである。
【００５０】
そのような補間は、スプライン関数のための適切な次数を選択することと、その後、以下の式
【００５１】
【数２】
2019526791.tif 000004
を使用して、補間のための係数を計算することとを含む。
【００５２】
Ｍ＝１、２、３または４・・・・であり、
【００５３】
【数３】
2019526791.tif 000005
である。
【００５４】
たとえば、Ｍ＝５を選択した場合、補間のための係数は、
ｐ（０）＝１／１６、
ｐ（１）＝５／１６、
ｐ（２）＝１０／１６、
ｐ（３）＝１０／１６、
ｐ（４）＝５／１６、および
ｐ（５）＝１／１６である。
【００５５】
補間のための係数が確立されると、補間は、
【００５６】
【数４】
2019526791.tif 000006
にしたがって実行される。
【００５７】
言い換えれば、畳み込みが、信号特性の第１のデータセットｉｔｒ（ｎ）に対して行われ、係数は、すなわち、図３に図示されるように、それぞれの反復の間にゼロを挿入する。
【００５８】
その後、所望の等価なサンプリング周波数が達成されるまで、補間ステップが繰り返される。たとえば、１００ｋＨｚのオリジナルのサンプリング周波数の場合、等価なサンプリング周波数は、１補間ステップ後に２００ｋＨｚ、２補間ステップ後に４００ｋＨｚ、３補間ステップ後に８００ｋＨｚ、そして４補間ステップ後に１．６ＭＨｚとなる。
【００５９】
本発明の第１の実施形態のステップ（ｃ）、すなわち、第２のデータセットｉｔｒＨ（ｎ）内の障害波信号２２を識別するステップは、第２のデータセットｉｔｒＨ（ｎ）内の信号特性が、障害しきい値２４を超えるときを識別することを含む。好ましくは、障害しきい値２４は、対応するピーク値信号特性２８Ｌ、２８Ｒの５％値２６Ｌ、２６Ｒよりも大きくなるように選択される。
【００６０】
それに加えて、第２のデータセットｉｔｒＨ（ｎ）内の信号特性が、障害しきい値２４を超えたときを識別することはまた、図４（ａ）においてローカル端部１６に関して、および、リモート端部１８に関して図４（ｂ）において概略的に例示されているように、障害しきい値２４が超えられた時間ｔＬ、ｔＲ、すなわち、障害波信号２２が、相線１４Ａ、１４Ｂ、１４Ｃのそれぞれのローカル端部１６およびリモート端部１８において受信された時間ｔＬ、ｔＲを確立することを含む。
【００６１】
その後、送電管路１０内の障害波信号２２の発生源を決定するために、すなわち、障害２０の位置を決定するために、障害波信号２２の伝搬特性を利用するステップ（ｄ）は、
送電管路１０のローカル端部１６およびリモート端部１８のおのおのにおいて、ステップ（ａ）から（ｃ）を実行し、これによって、対応する障害しきい値２４が、前記ローカル端部１６およびリモート端部１８のおのおののうちの対応する１つにおいて超えられるそれぞれの時間ｔＬ、ｔＲを確立することと、その後、
【００６２】
【数５】
2019526791.tif 000007
にしたがって、ローカル端部１６から障害２０の距離を決定することとを含み、
ｍは、ローカルエンド１６からの障害２０の距離であり、
Ｌは、送電管路１０の全長であり、
ｖは、障害波信号２２の伝搬速度である。
【００６３】
送電管路１０内の障害波信号２２の発生源を決定するために、すなわち、障害２０の位置を決定するために、障害波信号２２の伝搬特性を利用する他の手法もまた、本発明の範囲内で可能である。
【符号の説明】
【００６４】
１０  送電管路
１２  多相送電ネットワーク
１４Ａ  相管路
１４Ｂ  相管路
１４Ｃ  相管路
１６  ローカル端部
１８  リモート端部
２０  障害
２２  障害波信号
２４  障害しきい値
２６Ｒ  ５％値
２６Ｌ  ５％値
２８Ｒ  ピーク値信号特性
２８Ｌ  ピーク値信号特性
【図１】
2019526791.tif 000009
【図２】
2019526791.tif 000010
【図３】
2019526791.tif 000011
【図４（ａ）】
2019526791.tif 000012
【図４（ｂ）】
2019526791.tif 000013
【国際調査報告】
2019526791.tif 000014
2019526791.tif 000015
2019526791.tif 000016